(57)【要約】【課題】被照射面の照度を目標照度に制御するとともに、照明負荷の寿命が適正に判断される照明装置を提供する。【解決手段】照明装置１は、照明負荷８または点灯装置４の特定の電気量を検出する電気量検出手段１３と、電気量検出手段１３が検出した特定の電気量が記憶手段２８に記憶されている特定の電気量の基準値を超えるときに異常信号を出力する電気量比較手段２９と、照度センサ５が検出した照明エリア９の照度が記憶手段２８に記憶されている目標照度と略一致するように照明負荷８の調光率が変化されるとともに、電気量比較手段２９から異常信号が出力されたときに照明負荷８が消灯または減光されるように点灯装置４を制御する制御手段３３を具備する。【選択図】図４
2005019165.tif 000002
【特許請求の範囲】
【請求項１】
照明負荷を配設している照明器具と；
照明負荷を調光可能に付勢する点灯装置と；
照明器具が照明する照明エリアの照度を検出する照度センサと；
照明エリアの目標照度およびこの目標照度に対応して予め設定された照明負荷または点灯装置の特定の電気量の基準値を記憶している記憶手段と；
照明負荷が点灯しているときに、照明負荷または点灯装置の特定の電気量を検出する電気量検出手段と；
電気量検出手段が検出した特定の電気量が記憶手段に記憶されている特定の電気量の基準値を超えるときに異常信号を出力する電気量比較手段と；
照度センサにより検出された照明エリアの照度が記憶手段に記憶されている目標照度と略一致するように照明負荷の調光率が変化されるように点灯装置を制御する制御手段と；
を具備していることを特徴とする照明装置。
【請求項２】
電気量比較手段から異常信号が出力されたときに点灯装置を保護する保護手段および電気量比較手段から異常信号が出力されたことを報知する報知手段を具備していることを特徴とする請求項１記載の照明装置。
【請求項３】
保護手段は、制御手段により照明負荷が消灯または減光されるように点灯装置が制御されることを特徴とする請求項２記載の照明装置。
【請求項４】
電気量比較手段は、電気量検出手段が検出した特定の電気量が記憶手段に記憶されている特定の電気量の基準値を予め設定された所定期間にわたり継続して超えるときに異常信号を出力することを特徴とする請求項１ないし３いずれか一記載の照明装置。
【請求項５】
特定の電気量は、点灯装置の入力電力、照明負荷の負荷電流または負荷電力のいずれかであることを特徴とする請求項１ないし４いずれか一記載の照明装置。
【請求項６】
特定の電気量の基準値は、照明負荷が全光点灯されるときの照明負荷または点灯装置の特定の電気量であることを特徴とする請求項１ないし５いずれか一記載の照明装置。
【請求項７】
照度センサは、照明器具に配設されていることを特徴とする請求項１ないし６いずれか一記載の照明装置。
【発明の詳細な説明】
【０００１】
【発明の属する技術分野】本発明は、目標照度で照明エリアを照明する照明装置に関する。
【０００２】
【従来の技術】照度センサを用いて机上面や床面などの被照射面を一定の設定照度（目標照度）に制御することが行われている。例えば、外光の大きさに応じて照明負荷の調光率（光出力）を変化させて、被照射面を設定照度にしている。また、照明負荷は、点灯時間の経過とともに光束が減少していくので、照明負荷の交換時に被照射面の照度が設定照度に維持されるように、当初、照明負荷は設定照度が得られる調光レベルで点灯され、点灯時間の経過による光束の低下に応じて、照明負荷の調光率を徐々に上昇させている（例えば、特許文献１参照。）。
【０００３】
【特許文献１】特開平８−１０２３６６号公報（第３頁、第４図）
【０００４】
【発明が解決しようとする課題】特許文献１等において、照明負荷の交換は、照明負荷の累積点灯時間や不点、半波放電などの異常点灯状態の視認などにより行っていた。ここで、照明負荷の交換を累積点灯時間によると、照明負荷の光束維持率の低下が個々にばらついているので、当該交換が適正なものではないという欠点を有する。また、照明負荷の異常点灯状態によると、少なくとも当該異常点灯の期間、被照射面が設定照度で照明されないという欠点を有する。
【０００５】
本発明は、被照射面の照度を目標照度に制御するとともに、照明負荷の寿命が適正に判断される照明装置を提供することを目的とする。
【０００６】
【課題を解決するための手段】請求項１に記載の照明装置の発明は、照明負荷を配設している照明器具と；照明負荷を調光可能に付勢する点灯装置と；照明器具が照明する照明エリアの照度を検出する照度センサと；照明エリアの目標照度およびこの目標照度に対応して予め設定された照明負荷または点灯装置の特定の電気量の基準値を記憶している記憶手段と；照明負荷が点灯しているときに、照明負荷または点灯装置の特定の電気量を検出する電気量検出手段と；電気量検出手段が検出した特定の電気量が記憶手段に記憶されている特定の電気量の基準値を超えるときに異常信号を出力する電気量比較手段と；照度センサにより検出された照明エリアの照度が記憶手段に記憶されている目標照度と略一致するように照明負荷の調光率が変化されるように点灯装置を制御する制御手段と；を具備していることを特徴とする。
【０００７】
本発明および以下の各発明において、特に言及しない限り、各構成は以下による。
【０００８】
照度センサは、照明エリアの照度を照明エリアからの主として反射光により検出してもよく、照明器具からの主として直接光により検出してもよい。
【０００９】
照明エリアの照度が目標照度となるように、照明負荷の光束維持率の変化および外光に応じて、負荷電力は変化される。したがって、「特定の電気量」とは、負荷電力および負荷電力の変化に応じて変化する電気量であればよい。
【００１０】
「照明負荷の調光率」とは、照明負荷の全光点灯時の負荷電力（定格負荷電力）に対する電力の割合を意味する。
【００１１】
本発明によれば、照明負荷または点灯装置の特定の電気量が目標照度に対応して予め設定された基準値を超えるときに、電気量比較手段から異常信号が出力されるので、この異常信号に応じて、照明負荷または点灯装置に対応することが可能である。
【００１２】
請求項２に記載の照明装置の発明は、請求項１記載の照明装置において、電気量比較手段から異常信号が出力されたときに点灯装置を保護する保護手段および電気量比較手段から異常信号が出力されたことを報知する報知手段を具備していることを特徴とする。
【００１３】
報知手段は、ＬＥＤなどの光源の点消灯または点滅による表示あるいはブザー等による音や音声などによる報知のいずれであってもよい。また、照明負荷を点滅させるようにしてもよい。
【００１４】
本発明によれば、照明負荷または点灯装置の特定の電気量が目標照度に対応して予め設定された基準値を超えるときに、異常信号が出力されて照明負荷の寿命と判断されるので、照明負荷のばらつきによらず、保護手段により点灯装置の保護がなされるとともに、異常信号が出力されたことが報知手段により報知されるので、照明負荷の交換が適正に行える。
【００１５】
請求項３に記載の照明装置の発明は、請求項２記載の照明装置において、保護手段は、制御手段により照明負荷が消灯または減光されるように点灯装置が制御されることを特徴とする。
【００１６】
本発明によれば、電気量検出手段から異常信号が出力されると、制御手段により照明負荷が消灯または減光されるので、照明負荷が寿命と判断されたときに点灯装置が保護される。
【００１７】
請求項４に記載の照明装置の発明は、請求項１ないし３いずれか一記載の照明装置において、電気量比較手段は、電気量検出手段が検出した特定の電気量が記憶手段に記憶されている特定の電気量の基準値を予め設定された所定期間にわたり継続して超えるときに異常信号を出力することを特徴とする。
【００１８】
例えば、照度センサの受光面や照明器具の開口面あるいは照明エリアの被照射面などが予期しない遮蔽物などで遮られると、照明エリアの照度が大きく変化して、照明負荷が寿命でないにも係わらず、特定の電気量が当該基準値を超えることになり、その結果、電気量比較手段から異常信号が出力されるおそれがある。ここで、特定の電気量が当該基準値を超えたとき、予め設定された所定期間にわたり継続したときに電気量比較手段が異常信号を出力することにより、例えば前記予期しない事態によって、異常信号が出力されることが抑制される。
【００１９】
本発明によれば、電気量比較手段は、特定の電気量が当該基準値を予め設定された所定期間にわたり継続して超えるときに異常信号を出力するので、例えば照度センサの受光面などが予期しない遮蔽物により遮られることによる不所望の異常信号の出力が抑制される。
【００２０】
請求項５に記載の照明装置の発明は、請求項１ないし４いずれか一記載の照明装置において、特定の電気量は、点灯装置の入力電力、照明負荷の負荷電流または負荷電力のいずれかであることを特徴とする。
【００２１】
照明エリアの照度が目標照度となるように、制御手段により照明負荷の負荷電力が変化される。そして、負荷電力の変化に相関して、照明負荷の負荷電流または点灯装置の入力電力が変化される。
【００２２】
本発明によれば、特定の電気量を点灯装置の入力電力、照明負荷の負荷電流または負荷電力とすることにより、照明負荷の寿命が確実に検出可能である。
【００２３】
請求項６に記載の照明装置の発明は、請求項１ないし５いずれか一記載の照明装置において、特定の電気量の基準値は、照明負荷が全光点灯されるときの照明負荷または点灯装置の特定の電気量であることを特徴とする。
【００２４】
本発明によれば、特定の電気量の基準値を照明負荷が全光点灯されるときの照明負荷または点灯装置の特定の電気量とすることにより、照明負荷が最大寿命まで使用される。
【００２５】
請求項７に記載の照明装置の発明は、請求項１ないし６いずれか一記載の照明装置において、照度センサは、照明器具に配設されていることを特徴とする。
【００２６】
照明エリアを照明する複数の照明器具のうち、少なくともひとつに照度センサが配設されていればよい。
【００２７】
本発明によれば、照度センサは照明器具に配設されているので、天井等の造営物に照度センサを設置する手間を要せず、省力化が図れる。
【００２８】
【発明の実施の形態】以下、本発明の一実施の形態について、図面を参照して説明する。まず、本発明の第１の実施形態について説明する。
【００２９】
図１〜図５は、本発明の第１の実施形態を示し、図１は照明装置の構成図、図２は点灯装置の回路図、図３はセンサ装置の斜視図、図４は照明制御装置の構成図、図５は目標照度に対応する負荷電流の基準値の相関図である。
【００３０】
図１において、照明装置１は、照明器具２およびセンサ装置３を有して構成されている。そして、照明器具２に点灯装置４が配設され、センサ装置３に照度センサ５および照明制御装置６が一体化されて設けられている。これら照明器具２およびセンサ装置３は、それぞれ天井面７に配置されている。
【００３１】
照明器具２は、照明負荷としての蛍光ランプ８を配設していると共に、内部に蛍光ランプ８を調光可能に付勢する点灯装置４を配設している。そして、複数の照明器具２が天井面７に配設されており、複数の照明器具２による照明により所定の照明エリア９が形成されている。
【００３２】
点灯装置４は、図２に示すように、整流回路１０、昇圧チョッパ回路１１、インバータ回路１２、電気量検出手段としての負荷電流検出部（電気量検出部）１３、送受信部１４および点灯制御部１５を有する高周波点灯装置に形成されている。
【００３３】
整流回路１０は、商用交流電源Ｖｓに図示しないノイズフィルタを介して接続された整流装置１６により形成されている。
【００３４】
昇圧チョッパ回路１１は、整流装置１６の出力端子間に接続されたインダクタＬ１および電界効果トランジスタＦＥＴ１の直列回路と、電界効果トランジスタＦＥＴ１に並列的に接続された逆流防止用のダイオードＤ１および平滑用コンデンサＣ１の直列回路により形成されている。そして、電界効果トランジスタＦＥＴ１のゲート（制御端子）は、点灯制御部１５に接続されている。昇圧チョッパ回路１１は、整流装置１６の出力端子間に発生した直流電圧を電界効果トランジスタＦＥＴ１のスイッチング動作によりチョッピングして平滑用コンデンサＣ１の両端間に昇圧した直流電圧を発生させ、インバータ回路１２に供給している。
【００３５】
インバータ回路１２は、平滑用コンデンサＣ１の両端間に直列的に接続された第１および第２の電界効果トランジスタＦＥＴ２，ＦＥＴ３、第２の電界効果トランジスタＦＥＴ３に蛍光ランプ８のフィラメント電極８ａ，８ｂを介して並列的に接続された直流カット用コンデンサＣ２、インダクタＬ２および共振用コンデンサＣ３を有してなるハーフブリッジ形に形成されている。そして、共振用コンデンサＣ３は、蛍光ランプ８の非電源側のフィラメント電極８ａ，８ｂ間に接続され、第１および第２の電界効果トランジスタＦＥＴ２，ＦＥＴ３のそれぞれのゲート（制御端子）は、駆動回路１７に接続されている。そして、駆動回路１７は、点灯制御部１５に接続されている。
【００３６】
駆動回路１７は、点灯制御部１５からの制御信号に応じて、第１および第２の電界効果トランジスタＦＥＴ２，ＦＥＴ３を交互にスイッチング動作させる。このスイッチング動作により、インダクタＬ２および共振用コンデンサＣ３が共振し、共振用コンデンサＣ３の両端間に発生した共振電圧が蛍光ランプ８のフィラメント電極８ａ，８ｂ間に印加され、蛍光ランプ８を点灯維持する。
【００３７】
そして、蛍光ランプ８のフィラメント電極８ｂおよび第２の電界効果トランジスタＦＥＴ３のソース間の電流路にカレントトランスＣＴ１が設けられ、このカレントトランスＣＴ１は、特定の電気量としての主として蛍光ランプ８の負荷電流（ランプ電流）を検出し、負荷電流検出部１３は、当該負荷電流に相当する電圧を発生させて、この電圧をＡ／Ｄ（アナログ／デジタル）変換して送受信部１４に送出するように構成されている。
【００３８】
送受信部１４は、負荷電流検出部１３から送出された負荷電流に相当する電圧を照明器具２の数量に応じた所定の時間の間隔で照明制御装置６に伝送するように構成されている。また、照明制御装置６から伝送された調光信号例えばＰＷＭ調光信号を点灯制御部１５に送出するように構成されている。
【００３９】
点灯制御部１５は、前記調光信号に応じて、インバータ回路１２の第１および第２の電界効果トランジスタＦＥＴ２，ＦＥＴ３のスイッチング動作を変化させる。これにより、インバータ回路１２の出力電圧（共振用コンデンサＣ４の両端電圧）が変化して、蛍光ランプ８が調光点灯される。すなわち、蛍光ランプ８は、照明制御装置６により光出力が制御される。
【００４０】
上述のようにして、点灯装置４は構成されている。そして、照度センサ５および照明制御装置６が設けられているセンサ装置３は、図３に示すように、センサ装置本体１８、カバー１９および取付ばね２０，２０等を有して形成されている。そして、カバー１９には、外表面１９ａに露出するようにして、照度センサ５および報知手段としての表示用ＬＥＤ２１が配設され、さらに人感センサ２２、受信素子２３および送信用ＬＥＤ２４などが配設されている。また、センサ装置本体１８は、内部に照明制御装置６（図示しない。）を収納し、側面１８ａに端子群２５を配設している。端子群２５は、照明制御装置６と照明器具２の点灯装置４を接続する出力端子などにより形成されている。
【００４１】
照度センサ５は、照明器具２が照明する照明エリア９内からの反射光により当該照明エリア９内の照度を間接的に検出し、照明制御装置６に送出するように構成されている。表示用ＬＥＤ２１は、照明制御装置６の制御により点灯または点滅されるものであり、照明制御装置６が動作しているときに点灯され、後述の電気量比較手段としての電気量比較部２９から異常信号が出力されたときに点滅される。
【００４２】
そして、人感センサ２２は、照明エリア９に近づく人体を検出して照明制御装置６を介して蛍光ランプ８を点灯させるものである。また、受信素子２３は、送信機（リモコン）２６（図１に示す。）から送信される制御信号を受信して照明制御装置６に送出するように構成され、送信用ＬＥＤ２４は、照明制御装置６から送出された返信信号などを送信機（リモコン）２６に向けて送信するものである。ここで、送信機２６は、蛍光ランプ８を点消灯させる点滅信号や調光させる調光信号、目標照度を設定する設定信号または解除する解除信号などの制御信号を送信するとともに、点灯装置４の調光下限値や蛍光ランプ８の調光率の状況、目標照度の設定の有無などの返信信号を受信するように構成されている。
【００４３】
そして、照明制御装置６は、図４に示すように、照度入力部２７、記憶手段としての記憶部２８、電気量比較手段としての電気量比較部２９、報知手段としての表示部３０、通信部３１、電源部３２および制御手段としての制御部３３、さらにセンサ装置３の人感センサ２２、受信素子２３および送信用ＬＥＤ２４にそれぞれ接続されている人体検出部３４、ワイヤレス受信部３５およびワイヤレス送信部３６を有して構成されている。
【００４４】
照度入力部２７は、照度センサ５に電気接続され、照度センサ５の出力電圧（検出値）を入力して制御部３３に送出するように構成されている。ここで、照度センサ５の出力電圧は、照明器具２が照明する照明エリア９の照度と相関している。すなわち、照度入力部２７は、照明エリア９の照度を入力するものである。
【００４５】
記憶部２８は、不揮発性のメモリからなり、図５に示すように、照明エリア９の目標照度に対応する蛍光ランプ８の負荷電流（ランプ電流）の基準値が予め設定されて記憶されている。また、同じく、予め設定された蛍光ランプ８の負荷電力（ランプ電力）または点灯装置４の入力電力のそれぞれの基準値が記憶されている。これらの基準値は、照明エリア９に外光がなく、照明エリア９の照度が照明器具２（蛍光ランプ８）のみによる照度であるときの蛍光ランプ８または点灯装置４のそれぞれの特性値である。そして、記憶部２８は、例えば送信機２６を用いて設定された実際の照明エリア９の目標照度や後述の電気量比較部２９が異常信号を出力する猶予期間である所定期間、点灯装置４の調光下限値などの諸データが記憶されている。
【００４６】
電気量比較部２９は、点灯装置４のカレントトランスＣＴ１および負荷電流検出部１３が検出した蛍光ランプ８の負荷電流（特定の電気量）と記憶部２８に記憶されている設定された目標照度における負荷電流の基準値を比較し、負荷電流が当該基準値を予め設定されて記憶部２８に記憶されている前記所定期間にわたり継続して超えるときに、制御部３３に異常信号を出力するように構成されている。ここで、カレントトランスＣＴ１および負荷電流検出部１３が検出した蛍光ランプ８の負荷電流は、相当する電圧に変換されて、点灯装置４の送受信部１４から伝送線３７を介して照明制御装置６の通信部３１に伝送され、さらに通信部３１から制御部３３に伝送され、さらに制御部３３から電気量比較部２９に伝送される。そして、照明制御装置６に接続されている複数の照明器具２から順次、所定の時間の間隔で伝送されている。なお、電気量比較部２９は、負荷電流が当該基準値を超えた時点で異常信号を出力するように構成されてもよい。
【００４７】
表示部３０は、センサ装置３の表示用ＬＥＤ２１に接続され、制御部３３の制御により表示用ＬＥＤ２１を点灯または点滅させるように構成されている。すなわち、電源部３２が商用交流電源Ｖｓから給電されて照明制御装置６が動作しているときに表示用ＬＥＤ２１を点灯させ、電気量比較部２９から異常信号が出力されているときに表示用ＬＥＤ２１を点滅させる。表示部３０および表示用ＬＥＤ２１は、電気量比較部２９から異常信号が出力されたことを報知する報知手段を構成している。
【００４８】
通信部３１は、送信機２６からワイヤレス受信部３５に入力された照明制御信号などの他、制御部３３により演算生成された調光信号を照明器具２の点灯装置４に伝送線３７を介して伝送するように構成されている。また、点灯装置４の送受信部１４から伝送線３７を介して伝送されてきた蛍光ランプ８の負荷電流に相当する電圧値を制御部３３に送出するように構成されている。
【００４９】
電源部３２は、商用交流電源Ｖｓに接続され、交流電圧を直流電圧に変換すると共に、所定の電圧値に調整して、制御部３３やその他の回路部に駆動電源を供給するように構成されている。
【００５０】
制御部３３は、ＣＰＵおよびプログラムが格納されたＲＯＭなどを具備している。そして、照度センサ５が検出した照明エリア９の照度が予め設定されて記憶部２８に記憶されている目標照度と略一致するように、照度センサ５の出力電圧（検出値）に応じて点灯装置４を制御して蛍光ランプ８の調光率を変化させるように構成されている。すなわち、蛍光ランプ８の調光率に応じた調光信号例えばＰＷＭ調光信号を演算生成して、通信部３１を介して照明器具２の点灯装置４に伝送する。また、制御部３３は、電気量比較部２９から異常信号が出力されたときに、蛍光ランプ８が消灯または減光されるように点灯装置４を制御するように構成されている。すなわち、制御部３３は、点灯装置４の保護手段を構成している。さらに、制御部３３は、センサ装置３の表示用ＬＥＤ２１を点灯または点滅させるために表示部３０を制御するなど、上述したように、各回路部の制御を行うように構成されている。
【００５１】
そして、人体検出部３４は、センサ装置３の人感センサ２２に接続され、人感センサ２２が検出した人体の検出信号を制御部３３に伝送するように構成されている。制御部３３は、人体検出部３４から人体の検出信号を入力すると、蛍光ランプ８を点灯させる照明制御信号を通信部３１から伝送線３７を介して照明器具２の点灯装置４に伝送させる。
【００５２】
そして、ワイヤレス受信部３５は、送信機２６から送信されたオンオフ制御信号や調光制御信号などの照明制御信号および目標照度の設定信号や解除信号などの外部信号を入力して制御部３３に伝送するように構成されている。また、ワイヤレス送信部３６は、制御部３３から送出された返信信号をセンサ装置３の送信用ＬＥＤ２１から送信機２６に向かって送信させるように構成されている。
【００５３】
なお、照度センサ５および照明制御装置６は、図３に示すセンサ装置３のように一体的である必要はなく、それぞれ別体に構成されていてもよい。
【００５４】
次に、本発明の第１の実施形態の作用について述べる。
【００５５】
蛍光ランプ８は、累積点灯時間の経過とともに光束維持率が低下していくので、照明エリア９を目標照度にするためには、図６に示すように、蛍光ランプ８の累積点灯時間の経過にしたがい負荷電力（ランプ電力）が増加され、蛍光ランプ８からの光出力が略一定となるようにされる。ここで、図６は、照明エリア９に外光のない状態で現している。そして、蛍光ランプ８は、一般的に、光束維持率の低下が各々異なり、また、同じ負荷電力での光出力が各々異なっている。
【００５６】
そして、照明エリア９の照度は、照明器具２が照明する照射光による照度に、本来、照明エリア９を照明するものでない他の照明器具からの照射光や太陽光などからなる外光による照度が加算されている。照明エリア９が予め設定された目標照度で照明されているとき、照明エリア９に外光があると、外光による照度分、蛍光ランプ９の負荷電力が低下され、蛍光ランプ９からの光出力が低減されている。すなわち、照明制御装置６の制御部３３は、センサ装置３に配設されている照度センサ５が検出した照明エリア９の照度が予め設定されて記憶部２８に記憶されている目標照度と略一致するようにＰＷＭ調光信号を演算生成し、通信部３１から伝送線３７を介して点灯装置４に伝送させ、蛍光ランプ８の調光率（負荷電力）を変化させる。
【００５７】
蛍光ランプ８が点灯しているときに、常時、点灯装置４のカレントトランスＣＴ１および負荷電流検出部１３により、特定の電気量としての負荷電流（ランプ電流）が検出されている。この負荷電流は、所定の時間の間隔で相当する電圧に変換されて、点灯装置４の送受信部１４から伝送線３７を介して照明制御装置６の通信部３１に伝送され、さらに制御部３３を経由して電気量比較部２９に伝送される。そして、電気量比較部２９は、記憶部２８から予め設定された目標照度に対応する負荷電流の基準値を読み出し、この負荷電流の基準値と、点灯装置４から伝送されてきた負荷電流を比較する。そして、当該負荷電流が負荷電流の基準値以下であるときに、制御部３３に異常信号を出力せず、当該負荷電流が負荷電流の基準値を所定期間にわたり継続して超えるときに、制御部３３に異常信号を出力する。
【００５８】
すなわち、図６において、蛍光ランプ８の累積点灯時間の経過に伴い、制御部３３により、放電ランプ８の負荷電力（負荷電流）は増加するように制御される。そして、負荷電流検出部１３により検出された負荷電流が予め設定されて記憶部２８に記憶されている対応する基準値を所定期間にわたり継続して超えたときに、電気量比較部２９から異常信号が出力される。これを受け、制御部３３は、点灯装置４を保護する目的で、放電ランプ８を消灯させ、また、外部に異常を報知するために、表示部３０にセンサ装置３の表示用ＬＥＤ２１を点滅させる。そして、表示用ＬＥＤ２１の点滅が視認されることにより、蛍光ランプ８の交換が促される。
【００５９】
このように、蛍光ランプ８に流れる負荷電流と設定された目標照度に対応する負荷電流の基準値を比較して蛍光ランプ８の交換が判断される。この結果、蛍光ランプ８の光束維持率の低下や光出力等の個々のばらつきに影響されずに蛍光ランプ８の交換が可能となり、当該ランプ交換が適正化される。そして、報知手段を構成する表示用ＬＥＤ２１の点滅の視認により、早期に、蛍光ランプ８の交換が行える。また、電気量比較部２９から異常信号が出力されると、制御部３３により、蛍光ランプ８が消灯されるように点灯装置４が制御されるので、点灯装置４が蛍光ランプ８の異常点灯を付勢することがなくなり、点灯装置４が保護される。
【００６０】
そして、予め設定される照明エリア９の目標照度に対応した特定の負荷電流の基準値として全光点灯時の負荷電流とすることにより、蛍光ランプ８が最大寿命まで使用されることになる。
【００６１】
なお、蛍光ランプ８の負荷電流および負荷電流の基準値の比較でなく、蛍光ランプ８の負荷電力および負荷電力の基準値の比較であってもよい。また、蛍光ランプ８の負荷電力の増加に付随して点灯装置４の入力電力が変化するので、目標照度に対応する点灯装置４の入力電力を予め設定し、点灯装置４の入力電力を検出するようにして、点灯装置４の入力電力および当該入力電力の基準値を比較するようにしてもよい。
【００６２】
また、電気量比較手段としての電気量比較部２９、報知手段としての表示部３０および表示用ＬＥＤ２１、記憶手段としての記憶部２８は、点灯装置４に設けてもよく、あるいは点灯装置４および照明制御装置６と別体に設けてもよい。
【００６３】
次に、本発明の第２の実施形態について述べる。
【００６４】
図７は、本発明の第２の実施形態を示す照明器具の概略断面図である。なお、図１〜図４と同一部分には同一符号を付して説明は省略する。
【００６５】
図７に示す照明器具３８は、埋込形照明器具であり、図１の照明装置１において、照明エリア９を照明する複数の照明器具２のうちのひとつが一端側に略箱状のセンサ装置３９を配設しているものである。センサ装置３９は、内部に照度センサ５および照明制御装置４０等を配設している。
【００６６】
照明制御装置４０は、図４に示す照明制御装置６において、表示部３０、人体検出部３４、ワイヤレス受信部３５およびワイヤレス送信部３６を具備していないものである。したがって、センサ装置３９は、図３に示すセンサ装置３において、表示用ＬＥＤ２１、人感センサ２２、受信素子２３および送信用ＬＥＤ２４を具備していないものである。
【００６７】
照明制御装置４０において、電気量比較部２９から異常信号が出力されたことを報知する報知手段は、保護手段である制御部３３による蛍光ランプ８の消灯または減光により形成されている。すなわち、制御部３３は、電気量比較部２９から異常信号が出力されたときに蛍光ランプ８が消灯または減光されるように点灯装置４を制御するように構成されている。蛍光ランプ８の消灯または減光が視認されることにより、蛍光ランプ８の交換が促される。
【００６８】
そして、照明器具３８を天井面７に埋設することにより、照度センサ５および照明制御装置４０（センサ装置３９）を設置する手間が省略できるので、省力化が図れる。
【００６９】
【発明の効果】請求項１の発明によれば、照明負荷または点灯装置の特定の電気量が目標照度に対応して予め設定された基準値を超えるときに、電気量比較手段から異常信号が出力されるので、この異常信号に応じて、照明負荷の交換または点灯装置の保護に対応することができる。
【００７０】
請求項２の発明によれば、照明負荷または点灯装置の特定の電気量が目標照度に対応して予め設定された基準値を超えるときに、照明負荷の寿命と判断されるので、照明負荷のばらつきによらず、保護手段により点灯装置を保護することができるとともに、異常信号が出力されたことが報知手段により報知されるので、照明負荷の交換を適正に行うことができる。
【００７１】
請求項３の発明によれば、電気量検出手段から異常信号が出力されると、制御手段により照明負荷が消灯または減光されるので、照明負荷が寿命と判断されたときに点灯装置を保護することができる。
【００７２】
請求項４の発明によれば、電気量比較手段は、特定の電気量が当該基準値を予め設定された所定期間にわたり継続して超えるときに異常信号を出力するので、不所望の異常信号の出力を抑制することができる。
【００７３】
請求項５の発明によれば、特定の電気量を点灯装置の入力電力、照明負荷の負荷電流または負荷電力とすることにより、照明負荷の寿命を確実に検出することができる。
【００７４】
請求項６の発明によれば、特定の電気量の基準値を照明負荷が全光点灯されるときの照明負荷または点灯装置の特定の電気量とすることにより、照明負荷を最大寿命まで使用することができる。
【００７５】
請求項７の発明によれば、照度センサは照明器具に配設されているので、天井等の造営物に照度センサを設置する手間を要せず、省力化を図ることができる。
【図面の簡単な説明】
【図１】本発明の第１の実施形態を示す照明装置の構成図。
【図２】同じく、点灯装置の回路図。
【図３】同じく、センサ装置の斜視図。
【図４】同じく、照明制御装置の構成図。
【図５】同じく、目標照度に対応する負荷電流の基準値の相関図。
【図６】同じく、累積点灯時間に対する負荷電力の変化を示す特性図。
【図７】本発明の第２の実施形態を示す照明器具の概略断面図。
【符号の説明】
１…照明装置、２…照明器具、４…点灯装置、５…照度センサ、１３…電気量検出手段としての負荷電流検出部、２１…報知手段として表示用ＬＥＤ、２８…記憶手段としての記憶部、２９…電気量比較手段としての電気量比較部、３０…報知手段として表示部、３３…制御手段または保護手段としての制御部
【図１】
2005019165.tif 000003
【図２】
2005019165.tif 000004
【図３】
2005019165.tif 000005
【図４】
2005019165.tif 000006
【図５】
2005019165.tif 000007
【図６】
2005019165.tif 000008
【図７】
2005019165.tif 000009